(57)【特許請求の範囲】
【請求項１】
複数の部屋内の床に敷設される複数の床暖房パネルに熱源機からの温水を循環させて暖房を行う温水床暖房システムであり、温水の循環路を複数系統に分岐する往きヘッダー及び戻りヘッダーと、前記複数系統の循環路にそれぞれ設けられて、それら循環路を開閉する複数の開閉弁と、これら複数の開閉弁を個別に開閉制御する１基のコントローラと、前記複数の部屋内に設置され前記コントローラに通信線を介して接続されてコントローラと制御信号をやりとりする複数の床暖房リモコンとを備え、
前記コントローラは、前記各循環路に設けられた各開閉弁のリード線を接続するための複数の開閉弁用接続端子と、前記各循環路に配置した複数の温度検知素子のリード線を接続するための複数の温度検知用接続端子と、前記床暖房リモコンの通信線を接続するためのリモコン用接続端子と、前記熱源機との通信線を接続するための熱源機用接続端子とを、それぞれ外部に臨ませて備えると共に、前記複数系統における各系統の運転を表示する運転表示器を備えたことを特徴とする温水床暖房システム。
【請求項２】
前記コントローラと床暖房リモコンとを接続する通信線を２線ケーブルとしたことを特徴とする請求項１に記載の温水床暖房システム。
【請求項３】
前記床暖房リモコンは表示部を有し、この表示部は前記熱源機に異常が発生したとき、その異常内容を示すエラーコードを表示する構成としたことを特徴とする請求項１に記載の温水床暖房システム。
【請求項４】
前記熱源機は表示部を有し、この表示部は熱源機自体に異常が発生したとき、その異常内容を示すエラーコードを表示する構成としたことを特徴とする請求項１に記載の温水床暖房システム。
【発明の詳細な説明】
【０００１】
【発明の属する技術分野】
本発明は、室内の床に敷設される床暖房パネルに熱源機からの温水を循環させて暖房を行う温水床暖房システムに係り、特に複数系統の各循環路に設けられた開閉弁の開閉を制御するためのコントローラを備えた温水床暖房システムに関する。
【０００２】
【従来の技術】
従来、この種の温水床暖房システムは、特開２００１-３０４５８９に開示されている。次に、この従来技術について図６に基づき説明すると、従来の温水床暖房システムは、室内の床に敷設する床暖房パネル１と屋外等に設置する熱源機２とを往き管３及び戻り管４から成る循環路５で接続するとともに、戻り管４には循環路を開閉する熱動弁(開閉弁)６を設け、さらに、その熱動弁６を開閉制御するコントローラ７を備え、床暖房パネル１を敷設した室内には、コントローラ７に通信線８を介して床暖房リモコン９を接続した構成になっている。
【０００３】
【発明が解決しようとする課題】
上述した従来の温水床暖房システムでは、床暖房パネル１を敷設した部屋の室温を制御する場合には、床暖房パネル１に設置した床温度検知素子１０からの温度検知信号を床暖房リモコン９に入力すると共に、戻り管４に配置した温度検知素子１１からの温度検知信号をコントローラ７へ入力し、これらの温度検知信号に基づいて、コントローラ７が熱動弁６を開閉制御していた。
【０００４】
ところで、上述の温水床暖房システムにおいては、往き管３と戻り管４から成る１系統の循環路５に対して、１個の熱動弁６とそれを開閉制御する１基のコントローラ７を用いていた。従って、複数の部屋(例えば、２〜４部屋)にそれぞれ床暖房パネルを敷設する場合や、大部屋に多数の床暖房パネルを敷設する場合には、往きヘッダー及び戻りヘッダーを用いて循環路を複数系統(例えば、２〜４系統)に分岐し、各系統の戻り管の途中にそれぞれ熱動弁と温度検知素子を設けるともに、個々の熱動弁をそれに対応した数のコントローラを用いて個々に開閉制御しなければならない。
【０００５】
また、大部屋対応として複数の熱動弁を開閉制御する場合には、１基のコントローラに、拡張ボックス（図示せず）と称する別のコントローラを接続して、この別のコントローラで複数の熱動弁を制御していた。
【０００６】
何れにしろ、温水の循環路が複数系統の場合には、コントローラが複数必要であり、システムの設置工事が煩雑になるとともに、コントローラを設置するスペースを大きく確保しなければならなかった。
【０００７】
【発明が解決しようとする課題】
本発明は、上述の実情に鑑みてなされたものであり、循環路を複数系統にした場合でも、１基のコントローラによってそれぞれの循環路に設けられた開閉弁の開閉制御が行えるようにし、システムの設置工事性の簡素化を図りつつ、コントローラの設置スペースのコンパクト化が図れるようにすることを目的としている。
【０００８】
【課題を解決するための手段】
請求項１に記載の発明では、複数の部屋内の床に敷設される複数の床暖房パネルに熱源機からの温水を循環させて暖房を行う温水床暖房システムであり、温水の循環路を複数系統に分岐する往きヘッダー及び戻りヘッダーと、前記複数系統の循環路にそれぞれ設けられて、それら循環路を開閉する複数の開閉弁と、これら複数の開閉弁を個別に開閉制御する１基のコントローラと、前記複数の部屋内に設置され前記コントローラに通信線を介して接続されてコントローラと制御信号をやりとりする複数の床暖房リモコンとを備え、
前記コントローラは、前記各循環路に設けられた各開閉弁のリード線を接続するための複数の開閉弁用接続端子と、前記各循環路に配置した複数の温度検知素子のリード線を接続するための複数の温度検知用接続端子と、前記床暖房リモコンの通信線を接続するためのリモコン用接続端子と、前記熱源機との通信線を接続するための熱源機用接続端子とを、それぞれ外部に臨ませて備えると共に、前記複数系統における各系統の運転を表示する運転表示器を備えたことを特徴とする。
【０００９】
【００１０】
請求項２に記載の発明では、請求項１に記載の温水床暖房システムにおいて、前記コントローラと床暖房リモコンとを接続する通信線を２線ケーブルとしたことを特徴とする。
【００１１】
【００１２】
請求項３に記載の発明では、請求項１に記載の温水床暖房システムにおいて、前記床暖房リモコンは表示部を有し、この表示部は前記熱源機に異常が発生したとき、その異常内容を示すエラーコードを表示する構成としたことを特徴とする。
【００１３】
請求項４に記載の発明では、請求項１に記載の温水床暖房システムにおいて、前記熱源機は表示部を有し、この表示部は熱源機自体に異常が発生したとき、その異常内容を示すエラーコードを表示する構成としたことを特徴とする。
【００１４】
【発明の実施形態】
以下、本発明の一実施形態について説明すると、図１は本発明の一実施形態を示す温水床暖房システムの全体概略構成図、図２は４部屋４系統の床暖房システムの例を説明する説明図、図３は要部を拡大して説明する説明図である。
【００１５】
図１乃至図３において、温水床暖房システムＡは、例えば、４部屋床暖房システムの場合、屋外に設置される熱源機２０と、被暖房室としての４つの部屋にそれぞれ設置される床暖房パネル（床暖房放熱器）２１（２１Ａ〜２１Ｄ）と、前記熱源機２０と床暖房パネル２１とを連通する往き管２２（２２Ａ〜２２Ｄ）及び戻り管２３（２３Ａ〜２３Ｄ）から成る循環路２４（２４Ａ〜２４Ｄ）と、この循環路２４が４系統になるように循環路を分岐する往きヘッダー２５及び戻りヘッダー２６と、この戻りヘッダー２６に設けられて各循環路（戻り管２３側）を開閉する４個の熱動弁（開閉弁）２７と、各戻り管２３に配置したサーミスタ（温度検知素子）２８と、各部屋に設置される床暖房リモコン２９（２９Ａ〜２９Ｄ）と、前記各熱動弁（開閉弁）２７をそれぞれ個別に開閉制御する１基の電源ボックス（コントローラ）３０と、熱源機用メインリモコン３１とを備えた構成であるが、この熱源機用メインリモコン３１は不要とすることも可能である。
【００１６】
前記熱源機２０は、マイクロコンピュータ等を有する制御器３２、石油バーナ等のバーナ（図示せず）、バーナで加熱される熱交換器（図示せず）及び熱交換器で昇温される不凍液を含む循環水（温水）を熱源機２０から循環路２４を介して床暖房パネル２１へ循環させる循環ポンプ（図示せず）等を内蔵しており、また、デジタル表示器にてなる表示部３３を有する操作部３４を備えている。
【００１７】
前記熱源機２０の制御器３２は、熱源機用メインリモコン３１並びに電源ボックス３０に２芯ケーブル（２線ケーブル）の通信線３５を介して接続され、熱源機用メインリモコン３１や電源ボックス３０と各種信号をやりとりする。
【００１８】
前記熱源機用メインリモコン３１は、温度設定器、現在時間表示部、連続運転指示スイッチ、タイマー運転指示スイッチ等の各種スイッチや表示器（何れも図示せず）を備えている。
【００１９】
前記制御器３２は、熱源機２０の制御を行うもので、運転循環ポンプの発停やバーナの燃焼を制御し、前記床暖房パネル２１へ循環させる循環水（温水）の温度を制御する他、熱源機２０に内蔵のフレームロッド、燃料センサ等の各種センサの不具合や、循環ポンプ、燃料ポンプ（図示せず）及び点火器（図示せず）等の不具合が発生した場合、それらの異常信号を電源ボックス３０の制御装置４３や熱源機用メインリモコン３１へ出力するとともに、操作部３４に設けられた表示部３３に「Ｅ１」、「Ｅ２」、「Ａ１」、「ＡＦ」等の異常内容を示すエラーコードを表示させる。
【００２０】
前記床暖房リモコン２９は、図３に示すように、マイクロコンピュータを内蔵するとともに、床温設定器３６、現在時間等を表示する液晶表示器にてなる表示部３７、連続運転指示スイッチ３８、タイマー運転指示スイッチ３９及び運転開始時刻や運転停止時刻を設定する時刻合わせスイッチ４０、４０等を備え、前記電源ボックス３０に２芯ケーブル（２線ケーブル）の通信線４１を介して接続され、電源ボックス３０と各種信号のやりとりを行うものであり、また、各リモートコントローラ２９は、図２で示すように、それの基板(図示せず)上に複数のディップスイッチ４２を設けている。このディップスイッチ４２は、床暖房リモコン２９がどの系統の熱動弁（開閉弁）２７を動作させるかを指示するものであり、図２では露出しているかのように図示されているが、通常、床暖房リモコン２９のケース内に装備されている。
【００２１】
前記電源ボックス３０は、通常、往きヘッダー２５及び戻りヘッダー２６を収容した箱体状のヘッダー収容ボックス（図示せず）に設置され、このヘッダー収容ボックスは、熱源機２０の下部か、或いは側部近傍に設置される。
【００２２】
また、前記電源ボックス３０は、図３に示すように、箱体状の本体３０Ａ内に、マイクロコンピュータ等の制御装置４３を搭載した制御基板４４を内蔵するとともに、前記本体３０Ａの上壁部には、前記サーミスタ（温度検知素子）２８のリード線４５を接続する４個の温度検知用接続端子４６と、前記床暖房リモコン２９（２９Ａ、２９Ｂ、２９Ｃ、２９Ｄ）の通信線４１を接続するための１個のリモコン用接続端子４７と、前記熱源機２０との通信線３５を接続するための１個の熱源機用接続端子４８とを、外部に臨ませた状態（図２〜図５を参照）で設け、また、前記本体３０Ａの下壁部には、熱動弁（開閉弁）２７の各リード線４９を接続するための４個の開閉弁用接続端子５０を外部に臨ませた状態（図２〜図５を参照）で設け、さらに、正面部には電源ランプ５１と、系統毎の運転を表示する４個の運転ランプ（運転表示器）５２を備えている。５３は電源ボックス３０の電源プラグである。
【００２３】
前記電源ボックス３０の制御装置４３は、前記床暖房リモコン２９に２芯ケーブル（２線ケーブル）の通信線４１を介して接続され、熱源機用メインリモコン３１のみならず床暖房リモコン２９とも各種信号をやりとりしており、床暖房リモコン３１からの運転開始信号や運転停止信号を入力して、それら運転信号を熱源機２０の制御器３２に出力すると共に、熱源機２０の制御器３２から出力された異常信号を床暖房リモコン２９へ出力し、この床暖房リモコン２９の表示部３７に、「Ｅ１」、「Ｅ２」、「Ａ１」、「ＡＦ」等の異常内容を示すエラーコードを表示させる。
【００２４】
次に温水床暖房システムＡの施工方法について説明する。先ず、４部屋のそれぞれの床に床暖房パネル２１を敷設するとともに床暖房リモコン２９を設置し、一方、屋外には熱源機２０とヘッダー収容ボックスを設置し、このヘッダー収容ボックス内に電源ボックス３０を取付ける。
【００２５】
そして、熱源機２０とヘッダー収容ボックス内に収容された往きヘッダー２５及び戻りヘッダー２６とを配管接続し、さらに、往きヘッダー２５及び戻りヘッダー２６と各部屋の床暖房パネル２１とをペアーチューブで構成された往き管２２及び戻り管２３にて接続して４系統の温水の循環路２４を形成する。
【００２６】
その後、各系統の循環路（戻り管２３側）に配置した４個の熱動弁（開閉弁）２７の各リード線４９を電源ボックス３０の開閉弁用接続端子５０に、各系統の循環路（戻り管２３側）に配置したサーミスタ２８の各リード線４５を電源ボックス３０の温度検知用接続端子４６に、各部屋に設置された床暖房リモコン２９の通信線４１を電源ボックス３０のリモコン用接続端子４７に、熱源機２０との通信線３５を電源ボックス３０の熱源機用接続端子４８にそれぞれ接続して、この電源ボックス２０の電源プラグ５３を交流電源のコンセントに接続する。
【００２７】
次に、この温水床暖房システムＡの運転動作について簡単に説明する。例えば、各部屋に設置された床暖房リモコン２９のうちの一つからの運転開始信号が通信線４１を介して電源ボックス３０の制御装置４３に入力されると、この制御装置４３は、通信線３５を介して、熱源機３２の制御器３２にその運転開始信号を出力する。前記制御器３２は、運転開始信号が入力されると、バーナ（図示せず）の燃焼運転を開始するとともに、循環ポンプ（図示せず）を駆動させる。
【００２８】
電源ボックス３０の制御装置４３は、循環ポンプの運転開始に伴い、循環路（戻り管２３側）に配置したサーミスタ２８の検知温度が床暖房リモコン２９の床温設定器３６で設定された温度レベルよりも低い場合は、関係する循環路の熱動弁２７に通電し、この通電によって熱動弁２７が開動作し、熱源機２０からの温水は、往きヘッダー２５及び往き管２２を介して床暖房パネル２１に循環供給され、この床暖房パネル２１で放熱した後、戻り管２３及び戻りヘッダー２６を介して再び熱源機２０へ戻され、室内の床暖房が行われる。
【００２９】
また、電源ボックス３０の制御装置４３は、各部屋に設置された床暖房リモコン２９からの運転開始信号を入力すると、各床暖房リモコン２９の床温設定器３６にて設定された設定温度とそれに対応するサーミスタ（温度検知素子）２８の検知温度との差に基づいて、循環路２４の熱動弁２７を開閉制御する。そのため、複数系統の床暖房を１基の電源ボックス３０によって行うことができる。
【００３０】
以上のように、本実施形態によれば、温水の循環路２４を複数系統に分岐する往きヘッダー２５及び戻りヘッダー２６と、循環路２４を開閉する熱動弁（開閉弁）２７と、この熱動弁２７を開閉制御する電源ボックス（コントローラ）３０と、この電源ボックス３０に２芯ケーブル（２線ケーブル）の通信線４１を介して接続されて制御信号をやりとりする床暖房リモコン２９とを備えた温水床暖房システムにおいて、前記電源ボックス３０は、循環路２４の戻り管４５側に設けられた熱動弁２７のリード線４９を接続するための４個の開閉弁用接続端子５０、５０、５０、５０を備えた構成であるから、循環路２４が複数系統の場合でも、１基の電源ボックス３０により各循環路に設けられた熱動弁の開閉制御が行えるものであり、そのため、システムの設置工事の簡素化が図れ、しかも、電源ボックス３０が１基で良いことから、電源ボックス３０の設置スペースもコンパクトと成せるものである。
【００３１】
また、電源ボックス３０には、複数の開閉弁用接続端子５０、５０、５０、５０の他に、各循環路２４にそれぞれ配置したサーミスタ（温度検知素子）２８のリード線４５を接続するための４個の温度検知用接続端子４６、４６、４６、４６を備えた構成であるから、複数系統の循環路２４の温度を個別に検知して、系統毎の床暖房の温度コントロールが可能である。
【００３２】
また、電源ボックス３０と床暖房リモコン２９とを２芯ケーブル（２線ケーブル）の通信線４１で相互通信可能に接続するので、両者間で同時に多数の制御信号のやりとりが可能である上、電源ボックス３０に一つのリモコン用接続端子４７を設けるのみで、４個の床暖房リモコン２９（２９Ａ、２９Ｂ、２９Ｃ、２９Ｄ）を電源ボックス３０に接続できる。
【００３３】
また、電源ボックス３０の正面部には、電源ランプ５１と、系統毎の運転を表示する４個の運転ランプ５２を備えているので、各系統の運転が一目瞭然である。
【００３４】
また、床暖房リモコン２９は、液晶表示器にてなる表示部３７を有し、この表示部３７は、熱源機２０に異常が発生したとき、その異常内容を示す「Ｅ１」等のエラーコードを表示するので、室内に居ながら屋外に設置される熱源機の２０の異常内容を容易に確認できる。
【００３５】
さらに、熱源機２０は、それの操作部３４に設けられたデジタル表示器にてなる表示部３３を有し、この表示部３３は、熱源機２０に異常が発生したとき、その異常内容を示す「Ｅ１」等のエラーコードを表示するので、熱源機２０の点検整備や故障修理のときに、容易に異常内容を確認できる。
【００３６】
尚、上述の一実施形態では、４部屋４系統の床暖房システム例を挙げて説明したが、例えば、図４に示すように、２部屋に敷設した床暖房パネル２１への温水の循環路２４を部屋毎に各２系統として、各部屋に床暖房リモコン２９（２９Ａ、２９Ｂ）を設置するシステム形態にも対応できる。その場合、電源ボックス３０の温度検知用接続端子４６には、２個のサーミスタ（温度検知素子）２８を入力可能に接続し、リモコン用接続端子４７には、２個の床暖房リモコン２９を相互通信可能に接続し、開閉弁用接続端子５０には、４個の熱動弁（開閉弁）２７の各リード線４９を接続する。この場合、１個のサーミスタ２８に対して同時に２個の熱動弁（開閉弁）２７が開閉制御されることになる。
【００３７】
また、図５に示すように、例えば、大部屋に敷設した床暖房パネル２１への温水の循環路２４を３系統として、１個の床暖房リモコン２９（２９Ａ、２９Ｂ）を設置するシステム形態とすることもできる。その場合、電源ボックス３０の温度検知用接続端子４６には、１個のサーミスタ（温度検知素子）２８を入力可能に接続し、リモコン用接続端子４７には、１個の床暖房リモコン２９を相互通信可能に接続し、開閉弁用接続端子５０には、３個の熱動弁（開閉弁）２７の各リード線４９を接続する。この場合、１個のサーミスタ２８を用いて同時に３個の熱動弁（開閉弁）２７を開閉制御することになる。
【００３８】
さらに、上述の説明に基づいて当業者にとって種々の代替例、修正又は変形が可能であり、本発明の主旨を逸脱しない範囲で種々の代替例、修正又は変形を包含するものである。
【００３９】
【発明の効果】
本発明の温水床暖房システムは以上のように構成されているので、床暖房パネルに温水を循環する循環路が複数系統となる場合にそれぞれの循環路に設けられた熱動弁の開閉制御を１基のコントローラを用いて行うことができるため、システムの設置工事の簡素化が図れるのは勿論のこと、コントローラの設置スペースをコンパクトにすることができると共に、複数系統の循環路の温度を個別に検知して、系統毎の床暖房の温度コントロールが可能となり、また、コントローラは、複数の開閉弁用接続端子と、複数の温度検知用接続端子と、リモコン用接続端子と、熱源機用接続端子とを、それぞれ外部に臨ませて備える構成であるから、このコントローラへの各種接続作業を簡便と成せる上、運転表示器により各系統の運転状況を一目瞭然とすることができる。
【図面の簡単な説明】
【図１】  本発明の一実施形態を示す温水床暖房システムの全体概略構成図である。
【図２】  同じく４部屋４系統の床暖房システムの例を説明する説明図、
【図３】  同じく要部を拡大して説明する説明図である。
【図４】  同じく他のシステム形態例を説明する説明図である。
【図５】  同じくさらに他のシステム形態を説明する説明図である。
【図６】  従来例を示す図である。
【符号の説明】
Ａ 温水床暖房システム
２０ 熱源機
２１ 床暖房パネル
２２ 往き管
２３ 戻り管
２４ 循環路
２５ 往きヘッダー
２６ 戻りヘッダー
２７ 熱動弁（開閉弁）
２８ サーミスタ（温度検知素子）
２９ 床暖房リモコン
３０ 電源ボックス（コントローラ）
３３ 熱源機の表示部
３７ 床暖房リモコンの表示部
４１ 通信線
４３ 制御装置
４５ サーミスタのリード線
４６ 温度検知用接続端子
４７ リモコン用接続端子４７
４９ 熱動弁のリード線
５０ 開閉弁用接続端子
５２ 運転ランプ（運転表示器）
【図１】
0004017438.tif 000002
【図２】
0004017438.tif 000003
【図３】
0004017438.tif 000004
【図４】
0004017438.tif 000005
【図５】
0004017438.tif 000006
【図６】
0004017438.tif 000007